(57)【要約】【課題】浴室でも浴室以外の部屋でも、大掛かりな追加工事をすることなく、簡単に設置することができ、リフト装置を十分に支えて要介護者を安定的に入浴させることができる入浴介護装置を提供する。【解決手段】入浴介護装置は、部屋の床に据え置くタイプの浴槽１と、浴槽１の床当接部２に踏まれた被踏部５と平面視で浴槽１からはみ出した被立設部６とを含む下部ブラケット４と、被立設部６に立設された支柱１０と、支柱１０に取り付けられた、要介護者を浴槽外で吊り上げ浴槽上に移動させ浴槽中に降ろすリフト装置２０とを含む。【選択図】図１
0003235090.tif 000002
【実用新案登録請求の範囲】
【請求項１】
部屋の床に据え置くタイプの浴槽（１）と、
浴槽（１）の床当接部（２）に踏まれた被踏部（５）と平面視で浴槽（１）からはみ出した被立設部（６）とを含む下部ブラケット（４）と、
被立設部（６）に立設された支柱（１０）と、
支柱（１０）に取り付けられた、要介護者を浴槽外で吊り上げ浴槽上に移動させ浴槽中に降ろすリフト装置（２０）とを含むことを特徴とする入浴介護装置。
【請求項２】
浴槽（１）の上部フランジ（３）に固定された、支柱（１０）の高さ方向中間部を支持する上部ブラケット（１２）を含む請求項１記載の入浴介護装置。
【請求項３】
浴槽（１）の上部フランジ（３）にあけた穴に、支柱（１０）の高さ方向中間部が通されて支持された請求項１記載の入浴介護装置。
【請求項４】
被立設部（６）は、平面視で浴槽（１）の一辺の中央部からはみ出した請求項１〜３のいずれか一項に記載の入浴介護装置。
【請求項５】
被立設部（６）は、平面視で浴槽（１）の一辺の端部寄りからはみ出した請求項１〜３のいずれか一項に記載の入浴介護装置。
【請求項６】
被立設部（６）が前記一辺の一方端部寄りからはみ出すか他方端部寄りからはみ出すかを、下部ブラケット（４）の向き変更で選択可能である請求項５記載の入浴介護装置。
【請求項７】
床当接部（２）が孤立状の脚であり、下部ブラケット（４）が床当接部（２）を囲む囲壁面（８）を有する請求項１〜６のいずれか一項に記載の入浴介護装置。
【請求項８】
床当接部（２）が孤立状の脚であり、下部ブラケット（４）が２つ以上の床当接部（２）に踏まれた２つ以上の被踏部（５）を含む請求項１〜７のいずれか一項に記載の入浴介護装置。
【請求項９】
下部ブラケット（４）が、被立設部（６）から前記はみ出し方向に２０ｃｍ以上延長した延長部（９）を含む請求項１〜８のいずれか一項に記載の入浴介護装置。
【請求項１０】
下部ブラケットは、床当接部（２）に固定手段で固定されていない請求項１〜９のいずれか一項に記載の入浴介護装置。
【請求項１１】
下部ブラケットは、床当接部（２）に固定手段で固定されている請求項１〜９のいずれか一項に記載の入浴介護装置。
【請求項１２】
リフト装置（２０）は、支柱（１０）に回動可能に取り付けられて横方向に延出したエクステンションアーム（２１）と、エクステンションアーム（２１）に上下傾動可能に取り付けられた昇降アーム（２２）と、昇降アームを上下傾動させる駆動装置（２４）とを含む請求項１〜１１のいずれか一項に記載の入浴介護装置。
【考案の詳細な説明】
【技術分野】
【０００１】
本考案は、病人、怪我人、身体障害者等のように自分で身体を動かしにくい方（以下、「要介護者」という。）の入浴を介護するための装置に関するものである。
【背景技術】
【０００２】
入浴介護装置として、次の従来例が知られている。
特許文献１には、浴槽と、浴室の壁に固定された支持部材と、支持部材に取り付けられたリフト装置とを含む入浴介護装置が記載されている。
特許文献２には、浴槽と、浴室の天井に固着された案内レールと、案内レールに移動可能に保持されたリフト装置とを含む入浴介護装置が開示されている。
特許文献３には、浴槽と、浴室の天井と床との間に突っ張り式に固定された支柱と、支柱に取り付けられたリフト装置とを含む入浴介護装置が開示されている。
特許文献４〜６には、浴槽と、浴槽の外側近傍に設置された支柱と、支柱に取り付けられたリフト装置とを含む入浴介護装置が開示されている。
【０００３】
リフト装置は、浴槽外の要介護者を吊り上げ、浴槽上に要介護者を移動させ、浴槽内に要介護者を降ろす。このときリフト装置にかかるリフト荷重は、特許文献１においては浴室の壁が支え、特許文献２，３においては浴室の天井が支え、特許文献４においては浴室の床が支える。しかし、浴室の壁・天井・床は、リフト荷重に余裕をもって耐えられるほど強固には形成されていないため、補強、再構築等の大掛かりな追加工事が必要となる場合が多い。
【０００４】
また、従来例の入浴介護装置は浴室に設置することを前提としており、仮に浴室以外の部屋に設置しようとしても、さらに大掛かりな追加工事が必要になることが多いため実現困難であった。
【先行技術文献】
【特許文献】
【０００５】
【特許文献１】特開平７−１４４００９号公報
【特許文献２】特開平１０−５２４６９号公報
【特許文献３】特開平１１−１９１６２号公報
【特許文献４】特開平２００７−２０２７８６号公報
【特許文献５】特開平２０１０−１３６７７６号公報
【特許文献６】実開平５−４４１２５号公報
【考案の概要】
【考案が解決しようとする課題】
【０００６】
そこで、本考案の目的は、浴室でも浴室以外の部屋でも、大掛かりな追加工事をすることなく、簡単に設置することができ、リフト装置を十分に支えて要介護者を安定的に入浴させることができる入浴介護装置を提供することにある。
【課題を解決するための手段】
【０００７】
本考案の入浴介護装置は、
部屋の床に据え置くタイプの浴槽と、
浴槽の床当接部に踏まれた被踏部と平面視で浴槽からはみ出した被立設部とを含む下部ブラケットと、
被立設部に立設された支柱と、
支柱に取り付けられた、要介護者を浴槽外で吊り上げ浴槽上に移動させ浴槽中に降ろすリフト装置とを含み構成されたことを特徴とする。
【０００８】
ここで、浴槽の上部フランジに固定された、支柱の高さ方向中間部を支持する上部ブラケットを含むことが好ましい。但し、上部ブラケットは必須ではない。
【０００９】
また、浴槽の上部フランジにあけた支持穴に、支柱の高さ方向中間部が通されて支持されていることも好ましい。
【００１０】
［作用］
湯張りされた浴槽は非常に重いため、該浴槽に踏まれた下部ブラケットとそれに立設された支柱は、動くことなくリフト荷重を十分に支える。そのため、設置する部屋が浴室でも浴室以外であっても、部屋の壁・天井・床の大掛かりな追加工事は不要である。但し、部屋に給排水設備がなければ、その設備工事は必要である。さらに、上部ブラケット又は支持穴があれば、支柱の動きをより堅固に止められるため好ましい。
【考案の効果】
【００１１】
本考案の入浴介護装置は、浴室でも浴室以外の部屋でも、大掛かりな追加工事をすることなく、簡単に設置することができ、リフト装置を十分に支えて要介護者を安定的に入浴させることができる。
【図面の簡単な説明】
【００１２】
【図１】図１は実施例１の入浴介護装置の一部破断した正面図である。
【図２】図２は同装置の下部ブラケットの斜視図である。
【図３】図３は同装置の昇降アーム等を浴槽外に移動させたときの平面図である。
【図４】図４は同装置の昇降アーム等を浴槽上に移動させたときの平面図である。
【図５】図５は実施例２の入浴介護装置の下部ブラケットの斜視図である。
【図６】図６は実施例３の入浴介護装置の下部ブラケットを示し、（ａ）は囲壁部材を取り付ける前の斜視図、(ｂ)は囲壁部材を取り付けたときの斜視図、(ｂ)は向き変更して囲壁部材を取り付けたときの斜視図である。
【図７】図７は同装置の二態様を示し、（ａ）は図６（ｂ）の下部ブラケットを用いたときの平面図、（ｂ）は図６（ｃ）の下部ブラケットを用いたときの平面図である。
【図８】図８は実施例４の入浴介護装置の一部破断した正面図である。
【図９】図９は同装置の下部ブラケットの斜視図である。
【図１０】図１０は同装置の昇降アーム等を浴槽外に移動させたときの平面図である。
【図１１】図１１は実施例５の入浴介護装置の一部破断した正面図である。
【図１２】図１２は同装置の下部ブラケットの斜視図である。
【図１３】図１３は同装置の昇降アーム等を浴槽外に移動させたときの平面図である。
【図１４】図１４は実施例６の入浴介護装置の平面図である。
【考案を実施するための形態】
【００１３】
１．浴槽
浴槽は、部屋の床に据え置くタイプのものであればよく、その形状、寸法、材料等は特に限定されない。
浴槽の床当接部（本来は床に当接する部位であり、本考案では被踏部に当接することになる。）は、特に限定されず、平らな面、突条、互いに離間した孤立状の脚等を例示できる。
【００１４】
２．下部ブラケット
下部ブラケットは、被踏部と被立設部とを含むものであれば、その形状、寸法、材料等は特に限定されず、金属板製のもの、金属フレーム製のもの、金属管製のもの等を例示できる。
【００１５】
被立設部は、平面視で浴槽の一辺の中央部からはみ出した態様でもよいし、浴槽の一辺の端部寄りからはみ出した態様でもよい。後者の態様において、前記一辺の一方端部寄りからはみ出すか他方端部寄りからはみ出すかを、下部ブラケットの向き変更で選択可能であることが好ましい。浴槽が平面視で長方形である場合、前記一辺は該長方形の短辺又は長辺のいずれでもよいが、前者の態様においては前記一辺は短辺が好ましい。
【００１６】
床当接部が孤立状の脚であり、下部ブラケットが床当接部を囲む囲壁面を有するものであることが好ましい。下部ブラケットが浴槽に対してずれるのを、床当接部が囲壁面に係止して、防止することができるからである。囲壁面としては、下部ブラケットに取り付けられた囲壁部材の内壁面である態様、下部ブラケットに形成された凹部の内壁面である態様、下部ブラケットに形成された穴の内周面である態様等を例示できる。
【００１７】
床当接部が孤立状の脚であり、下部ブラケットが２つ以上の床当接部に踏まれた２つ以上の被踏部を含むことが好ましく、３つ以上の床当接部に踏まれた３つ以上の被踏部を含むことがより好ましい。
【００１８】
下部ブラケットが、被立設部から前記はみ出し方向に２０ｃｍ以上延長した延長部を含むことが好ましく、３０ｃｍ以上延長した延長部を含むことがより好ましい。
【００１９】
下部ブラケットは、床当接部にネジ、溶接等の固定手段で固定されていない態様でもよいし、床当接部にネジ、溶接等の固定手段で固定されている態様でもよい。前者の態様は、組立時に床当接部を被踏部に置くだけでよい。後者の態様は、前記囲壁面を省略してもよい。
【００２０】
３．上部ブラケット
上部ブラケットは、浴槽の上部フランジに固定されて支柱の高さ方向中間部を支持するものであれば、その形状、寸法、材料、構成等は特に限定されない。
【００２１】
４．リフト装置
リフト装置の構成は、特に限定されないが、支柱に回動可能に取り付けられて横方向に延出したエクステンションアームと、エクステンションアームに上下傾動可能に取り付けられた昇降アームと、昇降アームを上下傾動させる駆動装置とを含むものを例示できる。同例は、エクステンションアームによりリフト装置の移動範囲が広がる点で好ましい。
【実施例】
【００２２】
本考案を具体化した実施例について説明する。説明する各部の形状、寸法、材料、構造等は例示であり、考案の要旨を逸脱しない範囲で適宜変更できる。
【００２３】
［実施例１］
図１〜図４に示す実施例１の入浴介護装置は、
部屋の床Ａに据え置くタイプの浴槽１と、
浴槽１の床当接部２に踏まれた被踏部５と平面視で浴槽１からはみ出した被立設部６とを連結して含む下部ブラケット４と、
被立設部６に立設された支柱１０と、
浴槽１の上部フランジ３に固定された、支柱１０の高さ方向中間部を支持する上部ブラケット１２と、
支柱１０に取り付けられた、要介護者を浴槽外で吊り上げ浴槽上に移動させ浴槽中に降ろすリフト装置２０とを含み構成されている。
【００２４】
浴槽１は、平面視で長方形をなす上面開口容器である。浴槽１は、底面に床当接部２としての４つの孤立状の脚を有し、上部周縁に上部フランジ３を有している。
【００２５】
下部ブラケット４は、図２に示すように、２箇所の被踏部５と被立設部６とを連結して含む、例えば三角形状の金属板からなる。２箇所の被踏部５は、平面視で浴槽１の一方の短辺に沿う２つの床当接部２が踏む部位であり、下部ブラケット４に形成された凹部７の内底面である。凹部７の内壁面である囲壁面８が、該凹部７に入り込んで被踏部５を踏んだ床当接部２を囲むようになっている。被立設部６は、平面視で前記短辺の中央部からはみ出しており、よって支柱１０も当該中央部に位置している。下部ブラケット４は、床当接部２にネジ、溶接等の固定手段で固定されていないので、組立時に床当接部２を被踏部５に置くだけでよい。
【００２６】
支柱１０は、被立設部６に溶接により固定され、垂直に延びている。
【００２７】
上部ブラケット１２は、上部フランジ３に重ねられネジで取り付けられた取付部１３と、平面視で浴槽１からはみ出した支持部１４とを連結して含む、例えばＴ字形状の金属板からなる。支持部１４に形成された穴１５に、支柱１０を通して支持するものである。
【００２８】
リフト装置２０は、支柱１０の上部に回動可能に取り付けられて横方向に延出したエクステンションアーム２１と、エクステンションアーム２１の上部に回動可能かつ上下傾動可能に取り付けられた昇降アーム２２と、昇降アーム２２に取り付けられたハンガーアーム２３と、昇降アーム２２を上下傾動させる駆動装置２４とを含み構成されている。駆動装置２４は、電動モータ又は流体圧シリンダを内蔵した駆動部２５と、該駆動部２５によって繰出及び退入するロッド２６とからなる。駆動部２５側がエクステンションアーム２１の下部に取り付けられ、ロッド２６側が昇降アーム２２の中間部に取り付けられている。そして、ハンガーアーム２３に、スリングシート（図示略）等を介して要介護者を吊すようになっている。
【００２９】
以上のように構成された実施例１の入浴介護装置は、設置する部屋が浴室であっても浴室以外であっても、大掛かりな追加工事をすることなく、図１に示すように部屋の床Ａに簡単に設置することができる。但し、給排水設備がなければその設備工事は必要である。湯張りされた浴槽１は非常に重いため、該浴槽１に踏まれて浴槽１と床Ａに挟まれた下部ブラケット４とそれに立設された支柱１０は、動くことなくリフト荷重を十分に支える。そのため、部屋の壁・天井・床の大掛かりな追加工事は不要である。さらに、上部ブラケット１２が支柱１０の高さ方向中間部を支持するため、支柱１０の動きをより堅固に止められる。
【００３０】
この入浴介護装置を使用するには、図３に示すように、エクステンションアーム２１を手動で回動させて、昇降アーム２２を浴槽外に移動させ、ハンガーアーム２３にスリングシート（図示略）等を介して要介護者を吊し、駆動装置２４により昇降アーム２２を上昇させて要介護者を吊り上げる。浴槽１の２つの長辺のいずれを部屋の壁Ｂに近付けて設置した場合でも、支柱１０が平面視で浴槽１の短辺の中央部に立設されていることと、エクステンションアーム２１によりリフト装置の移動範囲が広がることから、浴槽外で要介護者を吊り上げられる範囲が広い。
【００３１】
次に、図４に示すように、エクステンションアーム２１を手動で回動させて、昇降アーム２２等とともに要介護者を浴槽上に移動させ、駆動装置２４により昇降アーム２２を下降させれば、要介護者を浴槽中に降ろして湯につけることができる。
【００３２】
［実施例２］
次に、図５に一部を示す実施例２は、下部ブラケット４の被踏部５及び囲壁面８において実施例１と相違し、その他は実施例１と共通である。
実施例２では、下部ブラケット４の上面の各被踏部５の回りに金属筒製の囲壁部材１６が溶接により固定されている。囲壁部材１６の内壁面である囲壁面８が、該囲壁部材１６に入り込んで被踏部５を踏んだ床当接部２を囲むようになっている。実施例２によっても、実施例１と同様の作用効果が得られる。
【００３３】
［実施例３］
次に、図６及び図７に示す実施例３は、下部ブラケット４の構成及び支柱１０の取り付け方において実施例１と相違するものであり、その他は実施例１と共通である。
実施例３では、被立設部６が平面視で浴槽１の短辺の一方端部寄りからはみ出すか他方端部寄りからはみ出すかを、下部ブラケット４の向き変更で選択可能なように、下部ブラケット４が例えば直角三角形状の金属板からなり、図６（ａ）に示すように、各角付近にそれぞれ雌ねじ穴１７が形成されている。
【００３４】
そして、図６(ｂ)に示すように、下部ブラケット４の２つの角付近の雌ねじ穴１７に、２つの囲壁部材１６をそれに一体化したフランジ部において雄ねじ１８で取り付けたときに、図７（ａ）に示すように、被立設部６が平面視で浴槽１の短辺の（壁Ｂから遠い方の）一方端部寄りからはみ出す。支柱１０は被立設部６の雌ねじ穴１７に雄ねじ１８で取り付ける。
【００３５】
また、図６(ｃ)に示すように、下部ブラケット４の別の２つの角付近の雌ねじ穴１７に、２つの囲壁部材１６をそれに一体化したフランジ部において雄ねじ１８で取り付けたときに、図７（ｂ）に示すように、被立設部６が平面視で浴槽１の短辺の（上記とは反対側の壁Ｂから遠い方の）他方端部寄りからはみ出す。支柱１０は被立設部６の雌ねじ穴１７に雄ねじ１８で取り付ける。
【００３６】
実施例３によっても、実施例１と同様の作用効果が得られるのに加え、上記のとおり被立設部６及び支柱１０が壁Ｂから遠い方に位置することにより、浴槽外で要介護者を吊り上げられる範囲が実施例１よりも広くなる。
【００３７】
［実施例４］
次に、図８〜図１０に示す実施例４は、下部ブラケット４の構成において実施例１と相違するものであり、その他は実施例１と共通である。
下部ブラケット４は、図９に示すように、３箇所の被踏部５と被立設部６と延長部９を連結して含む、例えば平面視でＴ状に接合してなる金属偏平管からなる。３箇所の被踏部５は、浴槽１の３つの床当接部２が踏む部位であり、金属偏平管の下側金属板である。金属偏平管の下側金属板に形成した穴の内周面である囲壁面８が、該凹部７に入り込んで被踏部５を踏んだ床当接部２を囲むようになっている。被立設部６は、平面視で浴槽１の長辺の一方端部寄りから短辺延長方向にはみ出しており、よって支柱１０も当該一方端部寄りに位置している。延長部９は、本実施例では、被立設部６から前記はみ出し方向に２０ｃｍ以上延長した部位である。
なお、金属偏平管の端面に閉鎖板３３を当てて止めてもよい。
【００３８】
実施例４によっても、実施例１と同様の作用効果が得られるのに加え、被踏部５が３箇所にあり、浴槽１の短辺に沿う２つの床当接部２とそこから長辺方向に離れた１つの床当接部２とが踏むため、より安定性が増す。また、延長部９によっても安定性が増す。
【００３９】
［実施例５］
次に、図１１〜図１３に示す実施例５は、下部ブラケット４の構成において実施例１と相違するものであり、その他は実施例１と共通である。
本実施例の浴槽１の床当接部２としての脚は、図１１に示すように、脚上部２ａと脚下部２ｂとを含む。次に述べる２箇所の被踏部を踏む２つの脚については、脚上部２ａから脚下部２ｂが外され、脚上部２ａの下面にナット３１が取り付けられている。
下部ブラケット４は、図１２に示すように、２箇所の被踏部２と被立設部６と延長部９を連結して含む、例えば平面視でＦ状に接合してなる金属偏平管からなる。２箇所の被踏部５は、浴槽１の２つの床当接部２（脚上部２ａ）が踏む部位であり、金属偏平管の上側金属板である。また、ボルト３２を、被踏部５に形成した穴に下から通し、脚上部２ａのナット３１に螺合することにより、被踏部５は床当接部２に固定されている。囲壁面はない。被立設部６は、平面視で浴槽１の長辺の一方端部寄りからはみ出しており、よって支柱１０も当該一方端部寄りに位置している。延長部９は、本実施例では、被立設部６から前記はみ出し方向に２０ｃｍ以上延長した部位である。
なお、金属偏平管の端面に、閉鎖板３３を当てて止めてもよい。
【００４０】
実施例５によっても、実施例１と同様の作用効果が得られるのに加え、被踏部５が床当接部２に固定されるため、より安定性が増す。また、延長部９によっても安定性が増す。
【００４１】
［実施例６］
次に、図１４に示す実施例６は、下部ブラケット４に、下部ブラケット４から見て浴槽１とは反対側に（浴槽１の長辺延長方向に）に延びるアウトリガー部３４を連結した点において実施例５と相違するものであり、その他は実施例５と共通である。実施例６によれば、リフト装置２０を、平面視で３６０度回転させるなどして、下部ブラケット４から見て浴槽１とは反対側に回転させたときの安定性が、アウトリガー部３４によって増す。
【００４２】
本考案は、前記実施例に限定されるものではなく、考案の要旨から逸脱しない範囲で、適宜変更して具体化することができる。
【符号の説明】
【００４３】
１    浴槽
２    床当接部
３    上部フランジ
４    下部ブラケット
５    被踏部
６    被立設部
７    凹部
８    囲壁面
９    延長部
１０    支柱
１２    上部ブラケット
１３    取付部
１４    支持部
１５    穴
１６    囲壁部材
１７    雌ねじ穴
１８    雄ねじ
２０    リフト装置
２１    エクステンションアーム
２２    昇降アーム
２３    ハンガーアーム
２４    駆動装置
２５    駆動部
２６    ロッド
３１    ナット
３２    ボルト
３３    閉鎖板
３４    アウトリガー部
Ａ    床
Ｂ    壁
【図１】
0003235090.tif 000003
【図２】
0003235090.tif 000004
【図３】
0003235090.tif 000005
【図４】
0003235090.tif 000006
【図５】
0003235090.tif 000007
【図６】
0003235090.tif 000008
【図７】
0003235090.tif 000009
【図８】
0003235090.tif 000010
【図９】
0003235090.tif 000011
【図１０】
0003235090.tif 000012
【図１１】
0003235090.tif 000013
【図１２】
0003235090.tif 000014
【図１３】
0003235090.tif 000015
【図１４】
0003235090.tif 000016